(57)【要約】  【課題】冷蔵室のドア開閉が増加する夏場においても、製氷室の能力を確保でき、さらに野菜室を高湿度に保ち、野菜室に貯蔵する食品の保鮮性を向上する冷蔵庫を提供することを目的とする。  【解決手段】第１の冷却器で冷蔵室のみを冷却し、第２の冷却器で冷蔵室以外の前記製氷室、前記第１の冷凍室、前記野菜室及び前記第２の冷凍室を冷却するようにし、野菜室に直接冷気を循環させることなく、製氷室及び第１の冷凍室及び第２の冷凍室からの熱伝達により、間接的に野菜室内を冷却することにより、夏場冷蔵室のドア開閉が増え冷蔵室に暖湿気が流入しても製氷室を冷却する第２の冷却器は影響を受けず製氷室の能力を確保することができ、さらに野菜室内を高湿度に保つことができ、野菜室内に貯蔵する野菜等の食品の保鮮性を向上させることができる。【選択図】図２
2006010160.tif 000002
【特許請求の範囲】
【請求項１】
冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための吐出風路及び冷蔵室を冷却した冷気を第１の冷却器に戻すための戻り風路を設けた冷蔵室用ダクトと、前記野菜室及び前記製氷室及び前記第１の冷凍室の奥に設置した第２の冷却器と、前記第２の冷却器によって冷却された冷気を前記製氷室及び前記第１の冷凍室及び前記第２の冷凍室へ導く吐出風路及び前記製氷室及び前記第１の冷凍室及び前記第２の冷凍室を冷却した冷気を第２の冷却器に戻すための戻り風路を設けた冷凍室用ダクトを備え、前記第１の冷却器によって冷却される冷気を循環させることによって前記冷蔵室を冷却し、前記第２の冷却器によって冷却される冷気を循環させることによって前記製氷室、前記第１の冷凍室、及び前記第２の冷凍室を冷却し、さらに前記製氷室及び前記第１の冷凍室及び前記第２の冷凍室からの熱伝達により、前記野菜室を間接的に冷却することを特徴とする冷蔵庫。
【請求項２】
冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための吐出風路と冷蔵室を冷却した冷気を第１の冷却器に戻すための戻り風路を設けた冷蔵室用ダクトと、前記野菜室及び前記製氷室及び前記第１の冷凍室の奥に設置した第２の冷却器と、前記製氷室及び前記第１の冷凍室と前記野菜室を仕切り、前記第２の冷却器によって冷却される冷気を循環させる風路を有する仕切り壁と、前記第２の冷却器によって冷却された冷気を前記製氷室及び前記第１の冷凍室及び前記第２の冷凍室及び前記仕切り壁内風路へ導く吐出風路と前記製氷室及び前記第１の冷凍室及び前記第２の冷凍室を冷却した冷気及び前記仕切り壁内風路を循環した冷気を第２の冷却器に戻すための戻り風路を設けた冷凍室用ダクトを備え、前記第１の冷却器によって冷却される冷気を循環させることによって前記冷蔵室を冷却し、前記第２の冷却器によって冷却される冷気を循環させることによって前記製氷室、前記第１の冷凍室、及び前記第２の冷凍室を冷却し、前記第２の冷却器によって冷却される冷気を前記仕切り壁内で循環させることにより、前記野菜室を間接的に冷却することを特徴とする冷蔵庫。
【請求項３】
前記野菜室背面に冷却プレートを有することを特徴とする請求項１または２に記載の冷蔵庫。
【請求項４】
野菜室上部に冷却プレートを有することを特徴とする請求項１または２に記載の冷蔵庫。
【請求項５】
冷却プレートの材質はアルミであることを特徴とする請求項３または４に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が発売されている（例えば、特許文献１参照）。
【０００３】
図７は、特許文献１に記載された従来の冷蔵庫を示すものである。図７に示すように冷蔵庫本体１０１と、この本体の上部に設けられた冷蔵室１０２と、冷蔵室の下に設けられた切替室１０３と、冷蔵室の下で切替室に並列に設けられた製氷室１０４と、本体下部設けられた冷凍室１０５と、並列に設置された切替室及び製氷室と冷凍室の間に設けられた野菜室１０６と、冷気を生成する冷却器１０７と、冷気を各室に供給するファン装置１０８とを有し、冷凍室に冷気を供給するための冷凍室用送風路１０９と、製氷室に冷気を供給するための製氷用送風路１１０と、製氷室から冷気を冷却室に戻す製氷室用帰還風路１１１と、製氷室用送風路を通る冷気の一部を分流させて、切替室に送る切替室用送風路１１２と、切替室から冷気を冷却器に戻すための切替室用帰還風路１１３と、切替室用送風路を通る冷気の一部を分流させて、冷蔵室に送る冷蔵室用送風路１１４と、冷蔵室に送られた冷気を野菜室に戻すための冷蔵室用帰還風路１１５と、野菜室に送ら冷気を冷却器に戻すための野菜室用帰還風路１１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に設定温度の高い冷蔵室と野菜室に囲まれた製氷室は冷却能力の確保が困難であり、更に夏場冷蔵室の扉開閉が増えた場合、大量の暖湿気が冷却器に付着することにより冷却器の能力が大幅にダウンし、製氷スピードが落ちるという課題を有していた。また野菜室に直接冷気を循環させて冷却を行うため、野菜室内の湿度が低下し、野菜室内に貯蔵する野菜等の食品の保鮮性が劣化してしまうという課題を有していた。
【０００５】
本発明は、上記従来の課題を解決するもので、冷蔵室のドア開閉が増加する夏場においても、製氷室の能力を確保し、さらに野菜室内に貯蔵する野菜等の食品の保鮮性を向上する冷蔵庫を提供することを目的とする。
【課題を解決するための手段】
【０００６】
上記従来の課題を解決するために、本発明の冷蔵庫は、冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための吐出風路及び冷蔵室を冷却した冷気を第１の冷却器に戻すための戻り風路を設けた冷蔵室用ダクトと、前記野菜室及び前記製氷室及び前記第１の冷凍室の奥に設置した第２の冷却器と、前記第２の冷却器によって冷却された冷気を前記製氷室及び前記第１の冷凍室及び前記第２の冷凍室へ導く吐出風路及び前記製氷室及び前記第１の冷凍室及び前記第２の冷凍室を冷却した冷気を第２の冷却器に戻すための戻り風路を設けた冷凍室用ダクトを備え、前記第１の冷却器によって冷却される冷気を循環させることによって前記冷蔵室を冷却し、前記第２の冷却器によって冷却される冷気を循環させることによって前記製氷室、前記第１の冷凍室、及び前記第２の冷凍室を冷却し、さらに前記製氷室及び前記第１の冷凍室及び前記第２の冷凍室からの熱伝達により、前記野菜室を間接的に冷却することを特徴としたものである。
【０００７】
これによって、第１の冷却器で冷蔵室を冷却し、第２の冷却器で冷蔵室以外の製氷室、第１の冷凍室、及び第２の冷凍室を冷却するようにしたことにより、夏場冷蔵室のドア開閉が増え冷蔵室に暖湿気が流入しても製氷室を冷却する第２の冷却器は影響を受けず製氷室の能力を確保することができる。さらに野菜室は、製氷室及び第１の冷凍室及び第２の冷凍室からの熱伝達により、間接的に野菜室内を冷却するため、野菜室内を高湿度に保つことができ、野菜室内に貯蔵する野菜等の食品の保鮮性を向上させることができる。
【０００８】
また、本発明の冷蔵庫は、冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための吐出風路と冷蔵室を冷却した冷気を第１の冷却器に戻すための戻り風路を設けた冷蔵室用ダクトと、前記野菜室及び前記製氷室及び前記第１の冷凍室の奥に設置した第２の冷却器と、前記製氷室及び前記第１の冷凍室と前記野菜室を仕切り、前記第２の冷却器によって冷却される冷気を循環させる風路を有する仕切り壁と、前記第２の冷却器によって冷却された冷気を前記製氷室及び前記第１の冷凍室及び前記第２の冷凍室及び前記仕切り壁内風路へ導く吐出風路と前記製氷室及び前記第１の冷凍室及び前記第２の冷凍室を冷却した冷気及び前記仕切り壁内風路を循環した冷気を第２の冷却器に戻すための戻り風路を設けた冷凍室用ダクトを備え、前記第１の冷却器によって冷却される冷気を循環させることによって前記冷蔵室を冷却し、前記第２の冷却器によって冷却される冷気を循環させることによって前記製氷室、前記第１の冷凍室、及び前記第２の冷凍室を冷却し、前記第２の冷却器によって冷却される冷気を前記仕切り壁内で循環させることにより、前記野菜室を間接的に冷却することを特徴としたものである。
【０００９】
これによって、野菜室は野菜室上部に設置される仕切り壁内を循環する冷気からの熱伝達により、効率良く、間接的に野菜室内を冷却するため、野菜室内を高湿度に保つことができ、野菜室内に貯蔵する野菜等の食品の保鮮性を向上させることができる。
【発明の効果】
【００１０】
本発明の冷蔵庫は第１の冷却器で冷蔵室を冷却し、第２の冷却器で冷蔵室以外の製氷室、第１の冷凍室、第２の冷凍室を冷却するようにしたことにより、夏場冷蔵室のドア開閉が増え冷蔵室に暖湿気が流入しても製氷室を冷却する第２の冷却器は影響を受けず製氷室の能力を確保することができる。また野菜室は、製氷室及び第１の冷凍室及び第２の冷凍室及び仕切り壁内を循環する冷気からの熱伝達により、間接的に野菜室内を冷却するため、野菜室内を高湿度に保つことができ、野菜室内に貯蔵する野菜等の食品の保鮮性を向上させることができる。
【発明を実施するための最良の形態】
【００１１】
請求項１に記載の発明は、冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための吐出風路及び冷蔵室を冷却した冷気を第１の冷却器に戻すための戻り風路を設けた冷蔵室用ダクトと、前記野菜室及び前記製氷室及び前記第１の冷凍室の奥に設置した第２の冷却器と、前記第２の冷却器によって冷却された冷気を前記製氷室及び前記第１の冷凍室及び前記第２の冷凍室へ導く吐出風路及び前記製氷室及び前記第１の冷凍室及び前記第２の冷凍室を冷却した冷気を第２の冷却器に戻すための戻り風路を設けた冷凍室用ダクトを備え、前記第１の冷却器によって冷却される冷気を循環させることによって前記冷蔵室を冷却し、前記第２の冷却器によって冷却される冷気を循環させることにより、夏場冷蔵室のドア開閉が増え冷蔵室に暖湿気が流入しても製氷室を冷却する第２の冷却器は影響を受けず製氷室の能力を確保することができる。さらに野菜室に直接冷気を循環させることなく、製氷室及び第１の冷凍室及び第２の冷凍室からの熱伝達により、間接的に野菜室内を冷却するため、野菜室内を高湿度に保つことができ、野菜室内に貯蔵する野菜等の食品の保鮮性を向上させることができる。
【００１２】
請求項２に記載の発明は、冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための吐出風路と冷蔵室を冷却した冷気を第１の冷却器に戻すための戻り風路を設けた冷蔵室用ダクトと、前記野菜室及び前記製氷室及び前記第１の冷凍室の奥に設置した第２の冷却器と、前記製氷室及び前記第１の冷凍室と前記野菜室を仕切り、前記第２の冷却器によって冷却される冷気を循環させる風路を有する仕切り壁と、前記第２の冷却器によって冷却された冷気を前記製氷室及び前記第１の冷凍室及び前記第２の冷凍室及び前記仕切り壁内風路へ導く吐出風路と前記製氷室及び前記第１の冷凍室及び前記第２の冷凍室を冷却した冷気及び前記仕切り壁内風路を循環した冷気を第２の冷却器に戻すための戻り風路を設けた冷凍室用ダクトを備え、前記第１の冷却器によって冷却される冷気を循環させることによって前記冷蔵室を冷却し、前記第２の冷却器によって冷却される冷気を循環させることによって前記製氷室、前記第１の冷凍室、及び前記第２の冷凍室を冷却し、前記第２の冷却器によって冷却される冷気を前記仕切り壁内で循環させることにより、前記野菜室を間接的に冷却することにより、野菜室に直接冷気を循環させることなく、野菜室上部に設置される仕切り壁内を循環する冷気からの熱伝達により、効率良く、間接的に野菜室内を冷却するため、野菜室内を高湿度に保つことができ、野菜室内に貯蔵する野菜等の食品の保鮮性を向上させることができる。
【００１３】
請求項３に記載の発明は、請求項１または２に記載の発明において、野菜室背面に冷却プレートを有することにより、野菜室及び製氷室及び第１の冷凍室の奥に設置した第２の冷却器の冷熱を、野菜室背面の冷却プレートを介して効率よく野菜室内に伝えることができ、野菜室に直接冷気を循環させることなく、間接的に野菜室内を冷却するため、野菜室内を高湿度に保つことができ、野菜室内に貯蔵する野菜等の食品の保鮮性を向上させることができる。
【００１４】
請求項４に記載の発明は、請求項１または２に記載の発明において、野菜室上部に冷却プレートを有することにより、野菜室上部に位置する製氷室及び第１の冷凍室及び仕切り壁内を循環する冷気の冷熱を野菜室上部の冷却プレートを介して効率よく野菜室内に伝えることができ、野菜室に直接冷気を循環させることなく、間接的に野菜室内を冷却するため、野菜室内を高湿度に保つことができ、野菜室内に貯蔵する野菜等の食品の保鮮性を向上させることができる。
【００１５】
請求項５に記載の発明は、請求項３または４に記載の発明において、冷却プレートの材質をアルミにすることにより、熱伝導性に優れ、安価で、腐食に強いアルミを冷却プレートの材質とすることにより、低コストで、野菜室の保鮮性及び信頼性を高めることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１による冷蔵庫の正面図である。図２は本発明の実施の形態１による冷蔵庫の風路図である。図３は本発明の実施の形態１における冷蔵庫の断面図である。
【００１８】
図１において１は冷蔵庫本体であり、最上部に冷蔵室２と、冷蔵室２の下方で第１の冷凍室としての切替室３と、切替室３に並列配置された製氷及び氷の貯蔵を行う製氷室４と、本体下部に設けられた冷凍室５と、並列配置した製氷室４及び切替室３と冷凍室５の間に設けられた、野菜類を貯蔵する野菜室６を有する。
【００１９】
図２、３において、２１は第１の仕切り壁であり、冷蔵室２と製氷室４及び切替室３を仕切っている。２２は第２の仕切り壁であり、製氷室４及び切替室３と野菜室６を仕切っている。２３は第３の仕切り壁であり、野菜室６と冷凍室５を仕切っている。１７は第１の冷却器であり冷蔵室背面に設置される。１８は冷蔵室冷却用ダクトであり、第１の冷却器１７によって冷却された冷気を冷蔵室２に導くための冷蔵室用吐出風路１８ａと冷蔵室２を冷却した冷気を第１の冷却器１７に戻すための冷蔵室用戻り風路１８ｂを有しており、第１の冷却器１７の前に設置される。１９は冷蔵室用冷却ファンであり第１の冷却器１７で発生した冷気を循環させる。２０は、第２の冷却器であり、野菜室６及び製氷室４及び切替室３の奥に設置される。２４は冷凍室用ダクトであり、第２の冷却器２０で冷却された冷気を製氷室４及び切替室３及び冷凍室５へ導く冷凍系吐出風路２４ａと製氷室４及び切替室３及び冷凍室５を冷却した冷気を第２の冷却器２０に戻すための冷凍室用戻り風路２４ｂを有しており、第２の冷却器２０の前に設置される。２５は冷凍室用冷却ファンであり、第２の冷却器２０で発生した冷気を循環させる。２６は例えばアルミを材質とした冷却プレートであり、野菜室６の背面で冷凍室用ダクト２４に設置される。
【００２０】
以上のように構成された冷蔵庫について、以下その動作、作用について説明する。第１の冷却器１７によって冷却される冷気は、冷蔵室冷却用ダクト１８の冷蔵室用吐出風路１８ａから冷蔵室２に吐出され庫内を冷却した後、冷蔵室用戻り風路１８ｂから冷却器１７に戻り、冷蔵室２を所定の温度に冷却する。
【００２１】
また、第２の冷却器２０によって冷却される冷気は、冷凍室用ダクト２４の冷凍系吐出風路２４ａから製氷室４及び切替室３及び冷凍室５へ導かれ、それぞれの庫内を冷却し、冷凍室用戻り風路２４ｂを通り第２の冷却器２０へ戻ることにより製氷室４及び切替室３及び冷凍室５を所定の温度に冷却する。また、野菜室６は、野菜室６の背面で、冷凍室用ダクト２４に設置された冷却プレート２６を介した第２の冷却器２０からの熱伝達と、第２の仕切り壁２２および第３の仕切り壁２３を介した製氷室４及び切替室３及び冷凍室５からの熱伝達により野菜室６を間接的に冷却する。これにより、夏場冷蔵室２のドア開閉が増え冷蔵室２に暖湿気が流入しても製氷室４を冷却する第２の冷却器２０は影響を受けず製氷室４の能力を確保することができる。さらに野菜室６に直接冷気を循環させることなく、製氷室４及び切替室３及び冷凍室５からの熱伝達により、間接的に野菜室内を冷却するため、野菜室内を高湿度に保つことができ、野菜室内に貯蔵する野菜等の食品の保鮮性を向上させることができる。
【００２２】
（実施の形態２）
図１は本発明の実施の形態２による冷蔵庫の正面図である。図４は本発明の実施の形態２による冷蔵庫の風路図である。図５は本発明の実施の形態２における冷蔵庫の断面図である。図６は本発明の実施の形態２における冷凍室用ダクトおよび第２の仕切り壁を上部からみた図である。
【００２３】
図１の説明は実施の形態１と同様であるため省略する。
【００２４】
図４、図５、図６において、２１は第１の仕切り壁であり、冷蔵室２と製氷室４及び切替室３を仕切っている。２２は第２の仕切り壁であり、専用の冷却風路２７が設けられており、製氷室４及び切替室３と野菜室６を仕切っている。２３は第３の仕切り壁であり、野菜室６と冷凍室５を仕切っている。１７は第１の冷却器であり冷蔵室背面に設置される。１８は冷蔵室冷却用ダクトであり、第１の冷却器１７によって冷却された冷気を冷蔵室２に導くための冷蔵室用吐出風路１８ａと冷蔵室２を冷却した冷気を第１の冷却器１７に戻すための冷蔵室用戻り風路１８ｂを有しており、第１の冷却器１７の前に設置される。１９は冷蔵室用冷却ファンであり第１の冷却器１７で発生した冷気を循環させる。２０は、第２の冷却器であり、野菜室６及び製氷室４及び切替室３の奥に設置される。２４は冷凍室用ダクトであり、第２の冷却器２０で冷却された冷気を製氷室４及び切替室３及び冷凍室５及び第２の仕切り壁２２内に設けられた専用の冷却風路２７へ導く冷凍系吐出風路２４ａと製氷室４及び切替室３及び冷凍室５を冷却した冷気及び第２の仕切り壁２２内に設けられた専用の冷却風路２７内を循環した冷気を第２の冷却器２０に戻すための冷凍室用戻り風路２４ｂを有しており、第２の冷却器２０の前に設置される。２５は冷凍室用冷却ファンであり、第２の冷却器２０で発生した冷気を循環させる。２６は例えばアルミを材質とした冷却プレートであり、野菜室６の上部に設置される。
【００２５】
以上のように構成された冷蔵庫について、以下その動作、作用について説明する。第１の冷却器１７によって冷却される冷気を直接循環させることによって冷蔵室２のみを冷却し、第２の冷却器２０によって冷却される冷気を直接循環させることによって製氷室４、切替室３、冷凍室５を冷却し、さらに野菜室上部に設置される第２の仕切り壁２２内に設けられた専用の冷却風路２７を循環する冷気から冷却プレート２６を介する熱伝達により、効率良く、間接的に野菜室内を冷却する。第１の冷却器１７で冷蔵室２のみを冷却し、第２の冷却器２０で製氷室４及び切替室３及び冷凍室５を冷却するようにしたことにより、夏場冷蔵室２のドア開閉が増え冷蔵室２に暖湿気が流入しても製氷室４を冷却する第２の冷却器２０は影響を受けず製氷室４の能力を確保することができる。さらに野菜室６に直接冷気を循環させることなく、野菜室上部に設置される第２の仕切り壁２２内に設けられた専用の冷却風路２７を循環する冷気から冷却プレート２６を介する熱伝達により、野菜室上部から効率良く、間接的に野菜室内を冷却するため、野菜室内を高湿度に保つことができ、野菜室内に貯蔵する野菜等の食品の保鮮性を向上させることができる。
【産業上の利用可能性】
【００２６】
以上のように、本発明にかかる冷蔵庫は、第１の冷却器で冷蔵室のみを冷却し、第２の冷却器で冷蔵室以外の前記製氷室、前記第１の冷凍室、前記野菜室及び前記第２の冷凍室を冷却するようにし、野菜室に直接冷気を循環させることなく、製氷室及び第１の冷凍室及び第２の冷凍室からの熱伝達により、間接的に野菜室内を冷却することにより、夏場冷蔵室のドア開閉が増え冷蔵室に暖湿気が流入しても製氷室を冷却する第２の冷却器は影響を受けず製氷室の能力を確保することができ、さらに野菜室内を高湿度に保つことができ、野菜室内に貯蔵する野菜等の食品の保鮮性を向上させることが可能となるので、冷凍機器全般の冷却方法の用途にも適用できる。
【図面の簡単な説明】
【００２７】
【図１】本発明による冷蔵庫の実施の形態１及び実施の形態２を説明する冷蔵庫正面図
【図２】本発明による冷蔵庫の実施の形態１を説明する冷蔵庫風路正面図
【図３】本発明による冷蔵庫の実施の形態１を説明する冷蔵庫断面図
【図４】本発明による冷蔵庫の実施の形態２を説明する冷蔵庫風路正面図
【図５】本発明による冷蔵庫の実施の形態２を説明する冷蔵庫断面図
【図６】本発明による冷蔵庫の実施の形態２を説明する冷凍室用ダクト及び第２の仕切り壁を上部からみた図
【図７】従来の冷蔵庫の冷蔵庫風路正面図
【符号の説明】
【００２８】
１    冷蔵庫本体
２    冷蔵室
３    切替室
４    製氷室
５    冷凍室
６    野菜室
１７  第１の冷却器
１８  冷蔵室用ダクト
１８ａ  冷蔵室用吐出風路
１８ｂ  冷蔵室用戻り風路
２０  第２の冷却器
２２  第２の仕切り壁
２４  冷凍室用ダクト
２４ａ  冷凍室用吐出風路
２４ｂ  冷凍室用戻り風路
２６  冷却プレート
２７  冷却風路
【図１】
2006010160.tif 000003
【図２】
2006010160.tif 000004
【図３】
2006010160.tif 000005
【図４】
2006010160.tif 000006
【図５】
2006010160.tif 000007
【図６】
2006010160.tif 000008
【図７】
2006010160.tif 000009